(57)【要約】      （修正有）【課題】暗線欠陥を低減するためのＬＥＤモジュールを有するＬＥＤディスプレイシステム。【解決手段】ＬＥＤ表示システムに隣接して配置されるＬＥＤモジュール２００‐１，２００‐１は、それらの間に継ぎ目２２０を形成する。暗線欠陥を低減するためのＬＥＤモジュールは、画像を生成するための１組の画像形成画素と、継ぎ目を通る継ぎ目照明を生成するための１組の照明画素２５０‐１、２５０‐２とを含む。シーム照明は、シームを通して直接、またはＬＥＤモジュールまたはＬＥＤディスプレイ系の結合アセンブリと一体化するまたは取り付け可能な反射器２６０‐１、２６０‐２によって方向付けられる。照明画素は、撮像画素によって生成される画像の色または強度を追跡するように制御されてもよい。【選択図】図７
2019074732.tif 000002
【特許請求の範囲】
【請求項１】
ＬＥＤディスプレイシステムであって、
隣接配置でＬＥＤモジュールを固定する結合アセンブリと、
第１のＬＥＤモジュールおよび第２のＬＥＤモジュールであって、画像化方向から視認可能な画像化照明を生成するために配置される画像化画素のセットを有する画像化側を有し、結合アセンブリと結合され、かつその間に継ぎ目を形成するために隣接して配置される、第１のＬＥＤモジュールおよび第２のＬＥＤモジュールと、
前記継ぎ目を通じて継ぎ目照明を生成する前記第１のＬＥＤモジュールおよび前記第２のＬＥＤモジュールの後方に配置される照明画素のセットと、
を備えるＬＥＤディスプレイシステム。
【請求項２】
前記ＬＥＤディスプレイシステムは、
メディアソースに従う画像化特性を制御し、前記画像化特性は、前記画像化画素のセットの少なくとも１つの画像化画素の色および強度の少なくとも１つを含み、
照明スキームに従う照明特性を制御し、前記照明特性は、前記照明画素のセットの少なくとも１つの照明画素の色および強度の少なくとも１つを含み、前記照明スキームは、少なくとも前記画像化特性に応じて、前記照明特性を制御することを含む、
ように構成される制御部をさらに備える請求項１に記載のＬＥＤディスプレイシステム。
【請求項３】
前記照明スキームは、前記継ぎ目照明を、前記第１のＬＥＤモジュールの画像化画素のセットの平均強度、前記第２のＬＥＤモジュールの画像化画素のセットの平均強度、および前記画像化画素のセットの平均強度のうちの１つと一致させるために、前記照明画素のセットの強度を制御することを含む、請求項２に記載のＬＥＤディスプレイシステム。
【請求項４】
前記第１のＬＥＤモジュールは、
その画像化側とは反対の後方側を備え、前記照明画素のセットは、前記後方側に配置され、前記照明画素のセットは、前記照明画素のセットの各照明画素が、前記第１のＬＥＤモジュールの前記画像化画素のセットの対応する画像化画素と対応するように、前記第１のＬＥＤモジュールの前記画像化画素のセットとピッチで整列され、
前記照明スキームは、前記照明画素のセットの少なくとも１つの照明画素の色および強度の少なくとも１つを、その対応する画像化画素で追跡することを含む、請求項２に記載のＬＥＤディスプレイシステム。
【請求項５】
前記第１のＬＥＤモジュールは、その画像化側とは反対の後方側を備え、前記照明画素のセットは、前記後方側に配置され、
前記継ぎ目は、前記第１のＬＥＤモジュールと前記第２のＬＥＤモジュールとの間の平面を規定し、
前記ＬＥＤディスプレイシステムは、前記第１のＬＥＤモジュールおよび前記第２のＬＥＤモジュールの後部に配置される反射器をさらに備え、前記反射器は、前記第１のＬＥＤモジュール、前記第２のＬＥＤモジュール、および前記結合アセンブリの１つから前記継ぎ目の前記平面へ向けて延び、前記継ぎ目を通じて前記継ぎ目照明を方向付ける、請求項１に記載のＬＥＤディスプレイシステム。
【請求項６】
前記第１のＬＥＤモジュールの前記後方側は、縁部を有し、前記照明画素のセットは、前記縁部に沿って配置される、請求項５に記載のＬＥＤディスプレイシステム。
【請求項７】
前記第１のＬＥＤモジュールの前記後方側の前記縁部は、面取りされる、請求項６に記載のＬＥＤディスプレイシステム。
【請求項８】
前記第１のＬＥＤモジュールの前記後方側は、周辺部を有し、前記照明画素のセットは、前記周辺部に沿って配置される、請求項５に記載のＬＥＤディスプレイシステム。
【請求項９】
前記反射器は、一連の凹部を備え、前記一連の凹部は、前記照明画素のセットとピッチで整列される、請求項５に記載のＬＥＤディスプレイシステム。
【請求項１０】
前記第１のＬＥＤモジュールの前記後方側および前記反射器の少なくとも１つは、光学コーティングで処理される、請求項５に記載のＬＥＤディスプレイシステム。
【請求項１１】
前記反射器は、前記第１のＬＥＤモジュールの前記後方側に可逆的に取付可能である、請求項５に記載のＬＥＤディスプレイシステム。
【請求項１２】
前記結合アセンブリによって結合される第１のＬＥＤタイルおよび第２のＬＥＤタイルをさらに備え、前記第１のＬＥＤモジュールは、前記第１のＬＥＤタイル上に配置され、前記第２のＬＥＤモジュールは、前記第２のＬＥＤタイル上に配置され、前記継ぎ目は、前記第１のＬＥＤタイルと前記第２のＬＥＤタイルとの間に形成される、請求項１に記載のＬＥＤディスプレイシステム。
【請求項１３】
前記第１のＬＥＤモジュールは、その画像化側とは反対の後方側を備え、前記照明画素のセットは、前記後方側に配置され、
前記継ぎ目は、前記第１のＬＥＤモジュールと前記第２のＬＥＤモジュールとの間の平面を規定し、
前記ＬＥＤディスプレイシステムは、前記第１のＬＥＤモジュールおよび前記第２のＬＥＤモジュールの後方に配置される反射器をさらに備え、前記反射器は、前記結合アセンブリから前記継ぎ目の前記平面へ向けて延び、前記継ぎ目を通じて前記継ぎ目照明を方向付ける、請求項１２に記載のＬＥＤディスプレイシステム。
【請求項１４】
前記反射器は、前記第１のＬＥＤモジュールの前記後方側に可逆的に取付可能である、請求項１３に記載のＬＥＤディスプレイシステム。
【請求項１５】
ＬＥＤディスプレイシステムで使用するためのＬＥＤモジュールであって、
画像化照明を生成するための第１の側に配置される画像化画素のセットと、
継ぎ目照明を生成するために、第２の側の縁部に隣接して配置される照明画素のセットであって、前記第２の側は、前記第１の側の反対である、照明画素のセットと、
前記縁部の周囲に前記継ぎ目照明を方向付けるために前記第２の側から延びる反射器と、
を備えるＬＥＤモジュール。
【請求項１６】
前記反射器は、一連の凹部を備え、前記一連の凹部は、前記照明画素のセットとピッチで整列される、請求項１５に記載のＬＥＤモジュール。
【請求項１７】
前記第２の側の縁部は、面取りされる、請求項１５に記載のＬＥＤモジュール。
【請求項１８】
前記第２の側および前記反射器の少なくとも１つは、光学コーティングで処理される、請求項１５に記載のＬＥＤモジュール。
【請求項１９】
ＬＥＤディスプレイシステムで使用するためのＬＥＤタイルであって、
ＬＥＤモジュールを固定する結合アセンブリであって、前記結合アセンブリは、少なくとも１つのＬＥＤモジュールが配置されて隣接する縁部を有し、前記少なくとも１つのＬＥＤモジュールは、継ぎ目照明を生成する照明画素のセットを有する、結合アセンブリと、
前記結合アセンブリの前記縁部の周囲の前記継ぎ目照明を方向付けるために、前記結合アセンブリから延びる反射器と、
を備えるＬＥＤタイル。
【請求項２０】
前記反射器は、一連の凹部を備え、前記一連の凹部は、前記照明画素のセットとピッチで整列される、請求項１９に記載のＬＥＤタイル。
【発明の詳細な説明】
【技術分野】
【０００１】
本開示はＬＥＤ（ｌｉｇｈｔ  ｅｍｉｔｔｉｎｇ  ｄｉｏｄｅ）ディスプレイシステムに関し、特に、ＬＥＤモジュールを有するタイル状ＬＥＤディスプレイに関する。
【背景技術】
【０００２】
ＬＥＤモジュール（ＬＥＤモジュール基板とも呼ばれる）を有するタイル状ＬＥＤディスプレイシステムの設計における関心事は、隣接するＬＥＤモジュール間の継ぎ目、特に隣接するＬＥＤタイルにわたるＬＥＤモジュール間の継ぎ目における「暗線」欠陥の出現である。暗線欠陥は、隣接するＬＥＤモジュール間の間隔が、隣接するＬＥＤモジュールにとって、１つのＬＥＤモジュールから次のＬＥＤモジュールへの連続画像の印象を作り出すには大きすぎる場合に、観察者にとって時々見える可視暗線を指す。そのような暗線欠陥が知覚される最大モジュール間隔誤差は、典型的にはＬＥＤモジュールの公称画素ピッチの約５％である。例えば、１．２ｍｍの公称画素ピッチは１．２×０．０５＝０．０６ｍｍ（６０μｍ）の間隔誤差を生じ、その結果、観察者による暗線欠陥の知覚を回避するために、モジュール境界を横切る１．２６ｍｍ以下の画素ピッチが必要とされる。
【０００３】
したがって、タイル状ＬＥＤディスプレイシステムに配置されるＬＥＤモジュールは、暗線欠陥の出現を避けるために、許容可能な間隔誤差を最小限に抑えながら、互いに接近して配置されることが多い。ＬＥＤモジュール同士を厳密に離間させるこの要件は、設計、製造、および設置の困難な要件をもたらす。このような要件に従う場合でさえ、暗線欠陥の発生は持続し得る。
【発明の概要】
【０００４】
本開示は、タイル状直視型ＬＥＤディスプレイシステムにおける隣接するＬＥＤモジュール間の継ぎ目から生じる暗線欠陥の低減に関する。本開示は隣接するＬＥＤモジュール間の継ぎ目を照明し、それによって暗線欠陥を低減するための照明画素のセットを含むＬＥＤディスプレイシステムを開示する。
【０００５】
本開示の一態様によれば、ＬＥＤディスプレイシステムは、隣接配置でＬＥＤモジュールを固定する結合アセンブリと、第１のＬＥＤモジュールおよび第２のＬＥＤモジュールであって、画像化方向から視認可能な画像化照明を生成するために配置される画像化画素のセットを有する画像化側を有し、前記結合アセンブリと結合され、かつその間に継ぎ目を形成するために隣接して配置される、第１のＬＥＤモジュールおよび第２のＬＥＤモジュールと、前記継ぎ目を通じて継ぎ目照明を生成する前記第１のＬＥＤモジュールおよび前記第２のＬＥＤモジュールの後方に配置される照明画素のセットと、を含む。
【０００６】
いくつかの実施形態では、前記ＬＥＤディスプレイシステムは、メディアソースに従う画像化特性を制御し、前記画像化特性が、前記画像化画素のセットの少なくとも１つの画像化画素の色および強度の少なくとも１つを含み、照明スキームに従う照明特性を制御し、前記照明特性は、前記照明画素のセットの少なくとも１つの照明画素の色および強度の少なくとも１つを含み、前記照明スキームは、少なくとも前記画像化特性に応じて、前記照明特性を制御することを含む、ように構成される制御部を含む。
【０００７】
いくつかの実施形態では、前記照明スキームは、前記継ぎ目照明を、前記第１のＬＥＤモジュールの画像化画素のセットの平均強度、前記第２のＬＥＤモジュールの画像化画素のセットの平均強度、および前記画像化画素のセットの平均強度のうちの１つと一致させるために、照明画素のセットの強度を制御することを含む。
【０００８】
いくつかの実施形態では、前記第１のＬＥＤモジュールは、その画像化側とは反対の後方側を有し、前記照明画素のセットは、前記後方側に配置され、前記照明画素のセットは、前記照明画素のセットの各照明画素が、前記第１のＬＥＤモジュールの前記画像化画素のセットの対応する画像化画素と対応するように、前記第１のＬＥＤモジュールの前記画像化画素のセットとピッチで整列され、前記照明スキームは、前記照明画素のセットの少なくとも１つの照明画素の色および強度の少なくとも１つを、その対応する画像化画素で追跡することを含む。
【０００９】
いくつかの実施形態では、前記第１のＬＥＤモジュールは、その画像化側とは反対の後方側を有し、前記照明画素のセットは、前記後方側に配置され、前記継ぎ目は、前記第１のＬＥＤモジュールと前記第２のＬＥＤモジュールとの間の平面を規定し、前記ＬＥＤディスプレイシステムは、前記第１のＬＥＤモジュールおよび前記第２のＬＥＤモジュールの後部に配置される反射器をさらに備え、前記反射器は、前記第１のＬＥＤモジュール、前記第２のＬＥＤモジュール、および前記結合アセンブリの１つから前記継ぎ目の前記平面へ向けて延び、前記継ぎ目を通じて前記継ぎ目照明を方向付ける。
【００１０】
いくつかの実施形態では、前記第１のＬＥＤモジュールの前記後方側は、縁部を有し、前記照明画素のセットは、前記縁部に沿って配置される。
【００１１】
いくつかの実施形態では、前記第１のＬＥＤモジュールの前記後方側の前記縁部は、面取りされる。
【００１２】
いくつかの実施形態では、前記第１のＬＥＤモジュールの前記後方側は、周辺部を有し、前記照明画素のセットは、前記周辺部に沿って配置される。
【００１３】
いくつかの実施形態では、前記反射器は、一連の凹部を備え、前記一連の凹部は、前記照明画素のセットとピッチで整列される。
【００１４】
いくつかの実施形態では、前記第１のＬＥＤモジュールの前記後方側および前記反射器の少なくとも１つは、光学コーティングで処理される。
【００１５】
いくつかの実施形態では、前記反射器は、前記第１のＬＥＤモジュールの前記後方側に可逆的に取付可能である。
【００１６】
いくつかの実施形態では、前記結合アセンブリによって結合される第１のＬＥＤタイルおよび第２のＬＥＤタイルを含み、前記第１のＬＥＤモジュールは、前記第１のＬＥＤタイル上に配置され、前記第２のＬＥＤモジュールは、前記第２のＬＥＤタイル上に配置され、前記継ぎ目は、前記第１のＬＥＤタイルと前記第２のＬＥＤタイルとの間に形成される。
【００１７】
いくつかの実施形態では、前記第１のＬＥＤモジュールは、その画像化側とは反対の後方側を有し、前記照明画素のセットは、前記後方側に配置され、前記継ぎ目は、前記第１のＬＥＤモジュールと前記第２のＬＥＤモジュールとの間の平面を規定し、前記ＬＥＤディスプレイシステムは、前記第１のＬＥＤモジュールおよび前記第２のＬＥＤモジュールの後方に配置される反射器をさらに備え、前記反射器は、前記結合アセンブリから前記継ぎ目の前記平面に向けて延び、前記継ぎ目を通じて前記継ぎ目照明を方向付ける。
【００１８】
いくつかの実施形態では、前記反射器は、前記第１のＬＥＤモジュールの前記後方側に可逆的に取付可能である。
【００１９】
本開示の別の態様によれば、ＬＥＤディスプレイシステムで使用するためのＬＥＤモジュールは、画像化照明を生成するための第１の側面上に配置される画像化画素のセットと、継ぎ目照明を生成するために、第２の側の縁部に隣接して配置される照明画素のセットであって、前記第２の側は、前記第１の側の反対である、照明画素のセットと、前記縁部の周囲に前記継ぎ目照明を方向付けるために前記第２の側から延びる反射器と、を含む。
【００２０】
いくつかの実施形態では、前記反射器は、一連の凹部を備え、前記一連の凹部は、前記照明画素のセットとピッチで整列される。
【００２１】
いくつかの実施形態では、前記第２の側の縁部は、面取りされる。
【００２２】
いくつかの実施形態では、前記第２の側および前記反射器の少なくとも１つは、光学コーティングで処理される。
【００２３】
本開示の別の態様によれば、ＬＥＤディスプレイシステムで使用するためのＬＥＤタイルは、ＬＥＤモジュールを固定する結合アセンブリであって、前記結合アセンブリは、少なくとも１つのＬＥＤモジュールが配置されて隣接する縁部を有し、前記少なくとも１つのＬＥＤモジュールは、継ぎ目照明を生成する照明画素のセットを有する、結合アセンブリと、前記結合アセンブリの前記縁部の周囲の前記継ぎ目照明を方向付けるために、前記結合アセンブリから延びる反射器と、を含む。
【００２４】
いくつかの実施形態では、前記反射器は、一連の凹部を備え、前記一連の凹部は、前記照明画素のセットとピッチで整列される。
【００２５】
ＬＥＤディスプレイシステムの他の特徴および利点は、以下でより十分に説明される。
【図面の簡単な説明】
【００２６】
ここで、添付の図面を参照して、単なる例として、非限定的な実施形態を説明する。
【００２７】
【図１】図１は、タイル状ＬＥＤディスプレイシステムの概略図である。
【図２】図２は、いくつかの隣接するＬＥＤモジュールを有するＬＥＤタイルの組立図である。
【図３】図３は、隣接する２つのＬＥＤモジュールの角部とその間の継ぎ目を示す拡大模式図である。
【図４】図４は、２つの隣接するＬＥＤモジュールの画素強度を示す強度プロットである。
【図５Ａ】図５Ａは、画像化画素のセットをその上に有するＬＥＤモジュールの画像化側の概略図である。
【図５Ｂ】図５Ｂは、周囲に照明画素のセットを有するＬＥＤモジュールの背面の概略図である。
【図６】図６はＬＥＤタイル上のＬＥＤモジュールの部分斜視図であり、隣接するＬＥＤタイルのＬＥＤモジュールとＬＥＤモジュールとの間の継ぎ目によって規定される平面を示す。
【図７】図７は、背面に照明画素を有する２つの隣接するＬＥＤタイルの２つの隣接するＬＥＤモジュールと、２つの隣接するＬＥＤモジュール間の継ぎ目を照明する反射器との部分断面図である。
【図８Ａ】図８Ａは、連続的に湾曲した反射体を有する２つの隣接するＬＥＤタイルの２つの隣接するＬＥＤモジュールの部分断面図である。
【図８Ｂ】図８Ｂは、直線状角度の反射体を有する２つの隣接するＬＥＤタイルの２つの隣接するＬＥＤモジュールの部分断面図である。
【図８Ｃ】図８Ｃは、ＬＥＤモジュールに一体化された反射体を有する２つの隣接するＬＥＤタイルの２つの隣接するＬＥＤモジュールの部分断面図である。
【図８Ｄ】図８Ｄは、２つの隣接するＬＥＤタイルの２つの隣接するＬＥＤモジュールの部分断面図である。
【図９】図９は、一連の凹部を有する反射器を有するＬＥＤタイル上のＬＥＤモジュールの部分斜視図である。
【図１０】図１０は、周囲に照明画素のセットを有するＬＥＤモジュールを有するＬＥＤタイルの背面の概略図である。
【図１１Ａ】図１１Ａは、ＬＥＤタイルの側縁に隣接する照明画素のセットを有するＬＥＤモジュールを有するＬＥＤタイルの背面の概略図である。
【図１１Ｂ】図１１Ｂは、ＬＥＤタイルの側縁に沿って照明画素のセットを有するＬＥＤモジュールを有するＬＥＤタイルの背面の概略図である。
【発明を実施するための形態】
【００２８】
本開示は、ＬＥＤディスプレイシステムにおいて、ＬＥＤモジュール基板と呼ばれることもある、隣接するＬＥＤモジュール間の継ぎ目から生じる暗線欠陥の低減に関する。ＬＥＤ表示システム内の隣接するＬＥＤモジュール間の継ぎ目またはギャップが、ＬＥＤ表示システムが１つのＬＥＤモジュールから次のＬＥＤモジュールへの連続画像の印象を作り出すには大きすぎる場合、暗線欠陥が生じ得る。暗線欠陥の発生は、タイル状ＬＥＤディスプレイシステムにおける隣接するＬＥＤタイルの隣接するＬＥＤモジュール間で特に明らかである。
【００２９】
本開示によれば、ＬＥＤディスプレイシステムは、第１のＬＥＤモジュールと、第１のＬＥＤモジュールに隣接する少なくとも１つの第２のＬＥＤモジュールとを含む、隣接するＬＥＤモジュールを固定するための結合アセンブリを有する。結合アセンブリは、第１および第２のＬＥＤモジュールを、ＬＥＤタイル内およびＬＥＤタイル間に隣接する配置で固定する。
【００３０】
ＬＥＤモジュールは、画像化方向から見える画像を生成するために、その画像化側に配置された画像化画素のセットを有する。少なくとも第１のＬＥＤモジュールはまた、隣接するＬＥＤモジュール間の継ぎ目を照明するために、画像化側と反対の後方側に位置する照明画素のセットを有する。いくつかの実施形態では、照明画素は、隣接するＬＥＤタイルを横切る隣接するＬＥＤモジュール間の継ぎ目を照明する。いくつかの実施形態では、照明画素が反射器で反射され、継ぎ目に向けられる照明を提供し、それにより、継ぎ目を照明し、暗線欠陥を低減する。暗線欠陥を低減することは、一般に、ＬＥＤディスプレイシステムによって生成される画像の外観を改善し、ＬＥＤディスプレイシステムの製造および組立における継ぎ目公差のより大きな柔軟性を可能にする。
【００３１】
いくつかの実施形態では、ＬＥＤディスプレイシステムは、継ぎ目照明が、画像化画素によって生成される画像と色または強度で混合するように、生成される画像に応答して、画像化画素を制御し、照明画素を制御するための制御ユニットを有してもよい。
【００３２】
いくつかの実施形態では、画像化画素および照明画素が同じまたは類似のＬＥＤチップを使用してもよく、照明画素は、画像化画素とピッチで整列されてもよい。
【００３３】
いくつかの実施形態では、ＬＥＤディスプレイシステムまたはＬＥＤモジュールの物理的構成要素は、照明画素から継ぎ目に向かう光結合を改善するように設計することができる。例えば、ＬＥＤモジュールの後方側は、光結合を改善するために、継ぎ目に向かって面取りされてもよい。別の例として、反射器は、継ぎ目に向かってより正確に照明を向けるために、各照明画素と位置合わせされた一連の凹部を組み込んでもよい。別の例として、ＬＥＤディスプレイシステムまたはＬＥＤモジュールの部分は、所望の光学特性を達成するために、拡散コーティングまたは反射コーティングなどの光学コーティングで処理されてもよい。
【００３４】
暗線欠陥を示し得るＬＥＤモジュールを有するＬＥＤディスプレイシステムの非限定的な実施形態が、以下の図１〜４に提示される。便宜上、参照番号は、類似の構成要素または特徴を示すために（オフセットの有無にかかわらず）繰り返されることがある。
【００３５】
図１は、非限定的な実施形態による、ＬＥＤディスプレイシステム１００の概略図である。ＬＥＤ表示システム１００は、ＬＥＤ表示システム１００によって表示される画像フィードまたはビデオフィードなどの入力を提供するメディアソース１１０を含む。メディアソース１１０は、コンピューティングデバイス、ＤＶＤ、ＣＤ‐ＲＯＭ、または他のメディアプレーヤ、カメラ、カムコーダ、またはＬＥＤディスプレイシステム１００に画像またはビデオフィードを提供することができる任意の他のメディアデバイスを備えることができる。
【００３６】
ＬＥＤディスプレイシステム１００はさらに、ビデオマトリックススイッチおよびスプライシングビデオプロセッサ１１２（以下、スイッチおよびプロセッサ１１２と称する）を備える。スイッチおよびプロセッサ１１２は、少なくとも１つのメディアソース１１０から画像フィードまたはビデオフィードを受信する。複数のメディアソース１１０がＬＥＤ表示システム１００に接続される実施形態では、スイッチおよびプロセッサ１１２がＬＥＤ表示システム１００による表示のために、単一のメディアソース１１０を選択するように、または複数のメディアソース１１０を混合および処理するように構成可能である。
【００３７】
ＬＥＤディスプレイシステム１００は、制御部１１４、制御コンピュータ１１６、およびＬＥＤディスプレイ１２０をさらに含む。制御部１１４は、スイッチ＆プロセッサ１１２から画像またはビデオフィードを受信し、画像フィードまたはビデオフィード（以下、単に画像と呼ぶ）を表示するようにＬＥＤディスプレイ１２０を制御するためのソフトウェア、ハードウェア、またはファームウェア命令を含む。制御コンピュータ１１６は、ＬＥＤディスプレイ１２０の表示を変更するために、追加の計算または制御容量を制御部１１４に提供するように構成された制御部１１４と通信するコンピューティングデバイスを備える。
【００３８】
ＬＥＤディスプレイ１２０は、隣接して配置されたいくつかのＬＥＤタイル１３０を含む。図２を参照し、図１を引き続き参照すると、各ＬＥＤタイル１３０が、隣接する配置でいくつかのＬＥＤモジュール２００を含むことが分かる。ＬＥＤモジュール２００は、ＬＥＤディスプレイ１２０によって表示される画像を生成するために、制御部１１４によって制御されるいくつかの画素を含む。ＬＥＤディスプレイシステム１００は、ＬＥＤタイル１３０に電力を供給するための電源１１８をさらに備える。
【００３９】
図２は、非限定的な実施形態によるＬＥＤタイル１３０の組立図である。ＬＥＤタイル１３０は、隣接する配置でいくつかのＬＥＤモジュール２００と結合するためのキャリアアセンブリ１３２を備える。キャリアアセンブリ１３２は、シャーシ１３４内に固定される。タイルシャーシ１３４は、いくつかのＬＥＤタイル１３０をＬＥＤディスプレイ１２０内に隣接して取り付け、配置するために使用され得るブロック１３６を取り付けるための取り付け点を有する。キャリアアセンブリ１３２は、ＬＥＤモジュール２００が隣接して配置され得る側端縁１３７を有する。
【００４０】
キャリアアセンブリ１３２、シャーシ１３４、および取付ブロック１３６は、まとめて結合アセンブリ１３１と呼ぶことができる。しかし、結合アセンブリ１３１という用語は、これに限定されるものではなく、いくつかのＬＥＤタイル１３０を隣接する配置で配置するために使用されるいくつかのキャリアアセンブリ１３２、シャーシ１３４、および取付ブロック１３６を指すために使用されてもよい。さらに、結合アセンブリ１３１という用語は、隣接するＬＥＤモジュール２００が関係する個々のキャリアアセンブリ１３２を指す。要するに、結合アセンブリ１３１という用語は、ＬＥＤタイル１３０内で、または隣接するＬＥＤタイル１３０を横切って、ＬＥＤモジュール２００を隣接する配置で配置するためのＬＥＤディスプレイシステムにおける任意の構造を指すように一般的に使用され得る。
【００４１】
図３は、ＬＥＤモジュール２００‐１および２００‐２として示される、２つの隣接するＬＥＤモジュール２００の拡大概略図である。各ＬＥＤモジュール２００‐１、２００‐２は、その画像化（前）側２０２‐１、２０２‐２から示され、その上に配置された画像化画素２１０‐１、２１０‐２のセットを特徴とする。各ＬＥＤモジュール２００‐１、２００‐２は、画像化側２０２‐１、２０２‐２の反対側に、後方側２０４‐１、２０４‐２（図５Ｂおよび図６‐１１参照）を有する。画像化側２０２‐１、２０２‐２において、画像化画素２１０‐１、２１０‐２は、共通ピッチ距離２１２に従って離間される。
【００４２】
本実施形態では、画像化画素２１０‐１、２１０‐２は、１つの赤色ＬＥＤ、１つの緑色ＬＥＤ、および１つの青色ＬＥＤのグループを含む。各赤色、緑色、および青色ＬＥＤは、サブ画素と呼ぶことができる。本実施形態では、各サブ画素は、ＬＥＤチップを含み、各ＬＥＤモジュール２００‐１、２００‐２は、画像化側２０２‐１、２０２‐２上にＬＥＤチップのアレイを有するプリント回路基板（ＰＣＢ：ｐｒｉｎｔｅｄ  ｃｉｒｃｕｉｔ  ｂｏａｒｄ）を含む。
【００４３】
２つのＬＥＤモジュール２００‐１、２００‐２は、キャリアアセンブリ１３２‐１、１３２‐２（図示せず）上に隣接して配置され、継ぎ目２２０として示される空間、ギャップ、または継ぎ目によって分離される。本実施形態では、ＬＥＤモジュール２００‐１がＬＥＤタイル１３０‐１上に配置され、ＬＥＤモジュール２００‐２は、隣接するＬＥＤタイル１３０‐２上に配置される。したがって、継ぎ目２２０は、隣接するＬＥＤタイル１３０‐１、１３０‐２の間にある。しかし、他の実施形態では、ＬＥＤモジュール２００‐１および２００‐２は、ＬＥＤタイル１３０内のＬＥＤモジュール２００‐１、２００‐２の間に継ぎ目２２０がある状態で、個々のＬＥＤタイル１３０上に配置することができる。
【００４４】
継ぎ目２２０は、ＬＥＤモジュール２００‐１、２００‐２（図６に最も良く示される）の間の空間にまたがる平面２２４を規定する。継ぎ目２２０は、継ぎ目ピッチ距離２２２として示される、ＬＥＤモジュール２００‐１、２００‐２を横切る有効ピッチ距離をもたらす。通常、ＬＥＤタイル１３０‐１および１３０‐２の設置は継ぎ目２２０のサイズが最小になり、継ぎ目ピッチ距離２２２がピッチ距離２１２にほぼ等しくなるように制限される。したがって、ＬＥＤタイル１３０‐１上のＬＥＤモジュール２００‐１からＬＥＤタイル１３０‐２上のＬＥＤモジュール２００‐２への連続画像の印象は、暗線欠陥なしに生成される。上述のように、そのような暗線欠陥がそれを超えて知覚される最大モジュール間隔誤差は、典型的にはＬＥＤモジュール２００‐１、２００‐２の公称画素ピッチ、すなわちピッチ距離２１２の約５％である。このような厳しい公差を達成するために、設計、製造、および設置における厳しい慣行が課されることが多い。しかし、そのような実施が採用される場合でさえ、継ぎ目ピッチ距離２２２は、ピッチ距離２１２から著しく変化する可能性があり、図４に示され、以下で論じられるように、暗線欠陥の発生が持続する可能性がある。
【００４５】
図４は、非限定的な実施形態による、２つの隣接するＬＥＤモジュール２００‐１、２００‐２の画素強度を示す強度プロット３００である。一例として、プロット３００は、グレースケールピーク３１０‐１および３１０‐２としてそれぞれ示される、ＬＥＤタイル１３０‐１、１３０‐２上にそれぞれ位置するＬＥＤモジュール２００‐１、２００‐２の各画像化画素２１０‐１、２１０‐２の強度を示す。ピーク３１０‐１および３１０‐２は、共通のピッチ距離２１２を有し、この例では約０．６ｍｍであることが分かる。プロットの左側ではＬＥＤタイル１３０‐１上のＬＥＤモジュール２００‐１上の画像化画素２１０‐１が約２４０グレースケールでピークとなるのに対して、プロットの右側ではＬＥＤタイル１３０‐２上のＬＥＤモジュール２００‐２上の画像化画素２１０‐２が約２５５グレースケールでピークとなることが分かる。さらに、平均強度３１２‐１は約１６０グレースケールであり、平均強度３１２‐２は約１７０グレースケールである。強度の差は、それぞれのＬＥＤタイル１３０‐１、１３０‐２によって表示される画像の異なる画像またはセクションを表すことができる。
【００４６】
ＬＥＤモジュール２００‐１のピーク３１０‐１は、継ぎ目ピッチ距離２２２だけＬＥＤモジュール２００‐２のピーク３１０‐２から分離され、この例では約１．４ｍｍである。継ぎ目ピッチ距離２２２は、ＬＥＤタイル１３０‐１、１３０‐２間の大きなギャップ、すなわち継ぎ目２２０を表わすように誇張されており、暗線欠陥を生じることがある。継ぎ目強度３２０として示される継ぎ目２２０を横切る平均強度は、約３０グレースケールであり、大きな継ぎ目ピッチ距離２２２が与えられると、顕著な暗線欠陥を表す。
【００４７】
継ぎ目２２０を追加の照明で満たすことによって継ぎ目強度３２０を増加させることは、暗線欠陥を低減することができる。したがって、プロット３００はさらに、暗線欠陥の可視性を低減するために継ぎ目強度３２０を増加させることが望ましい強度レベルの非限定的な例を示している。例えば、いくつかの実施形態では、継ぎ目強度３２０は、それぞれ強度値３３０Ａ、３３０Ｂ、および３３０Ｃとして示される、ＬＥＤモジュール２００‐１、２００‐２、またはそれらの組み合わせの平均強度の約４分の１、約２分の１、または約４分の３に達することが望ましい場合がある。このような実施形態では、ＬＥＤモジュール２００‐１または２００‐２のいずれか、あるいはそれらの組み合わせを、平均強度（平均強度３１２‐１または３１２‐２）の基準点として使用することができる。
【００４８】
他の実施形態では、継ぎ目強度３２０がＬＥＤモジュール２００‐１、２００‐２の平均強度と一致することが望ましい場合がある。このような実施形態では、上記のように、ＬＥＤモジュール２００‐１または２００‐２のいずれか、またはそれらの組み合わせを、平均強度（平均強度３１２‐１または３１２‐２）の基準点として使用することができる。ＬＥＤモジュール２００‐１、２００‐２の組み合わせに適合する継ぎ目強度３２０は、強度値３３０Ｄとして示される。
【００４９】
上述したように、近くのＬＥＤモジュール２００‐１、２００‐２の画素強度に応答して継ぎ目強度３２０を制御することは、照明スキームと呼ぶことができる。上述の照明スキームでは、継ぎ目２２０を横切る照明の強度の任意の増加が暗線欠陥を低減することができるので、ここで提示される望ましい強度値は例示的なものにすぎない。
【００５０】
暗線欠陥の発生または深刻度を低減することができるＬＥＤモジュール２００の非限定的な実施形態を以下の図５〜９に示す。便宜上、図１〜４に由来するものを含む参照番号は、類似の構成要素または特徴を示すために繰り返されることがある。
【００５１】
図５Ａは、非限定的な実施形態による、ＬＥＤモジュール２００の概略図である。ＬＥＤモジュール２００は、画像化画素のセット２１０をその上に有する画像化（前）側２０２を含む。単なる例として、ＬＥＤモジュール２００は、１０×１６ピクセルの解像度を有し、規則的なアレイで構成されるように示されているが、画像化画素２１０の任意の解像度または構成が企図される。
【００５２】
図５Ｂは、ＬＥＤモジュール２００を後方から見た概略図である。ＬＥＤモジュール２００は、画像化側２０２の反対側に、照明画素のセット２５０が配置された後方側２０４を含む。
【００５３】
後方側２０４は、縁部２０７を備える。後方側２０４は、周辺部を有し、本実施形態では、照明画素２５０は、周辺部２０６の周囲に配置される。周辺部２０６は、後方側２０４の縁部２０７に正確に配置される必要はないが、縁部２０７から画素２５０を照射するのに十分なクリアランスを提供するために、図示のように縁部２０７の内側にオフセットされてもよい。
【００５４】
本実施形態では、照明画素２５０は、各照明画素２５０がＬＥＤモジュール２００と隣接するＬＥＤモジュールとの間の継ぎ目２２０に近接するように、周辺部２０６の周囲に単一層で配置される。そのような実施形態は、以下で論じるように、ＬＥＤモジュール２００の後方側２０４から延びる反射体の包含を容易にするために望ましい場合がある。また、このような実施形態は、継ぎ目２２０を照射するために単一の画素層のみが必要な場合にも望ましい。しかし、他の実施形態では、複数の照明画素２５０の層を使用して、追加の継ぎ目照明を提供することができる。
【００５５】
本実施形態では、縁部２０７は、縁部２０７の周りの光結合を改善するために、周辺部２０６の周りに、面取り２０５として示されるように、面取りが付けられており、この特徴は以下でより詳細に論じられる。
【００５６】
本実施形態では、後方側２０４は、さらに、後述するように、キャリアアセンブリ１３２と結合するための、制御部１１４への電気的接続を提供するための、または反射器との取り付けを提供するための空間として、内部空間２０８を提供する。
【００５７】
本実施形態では、各照明画素２５０は、１つの赤色ＬＥＤ、１つの緑色ＬＥＤ、および１つの青色ＬＥＤのグループを含む。本実施形態では、各サブ画素は、画像化画素２１０で使用されるＬＥＤチップと同一または類似のＬＥＤチップを含む。しかし、他の実施形態では、画像化画素２１０および照明画素２５０は、異なるＬＥＤチップを含むことができる。例えば、いくつかの実施形態では、画素２５０を照射することはフォームファクタ、電源電圧、色深度、ＬＥＤタイプ、または画像化画素２１０からの他の特性において変化し得ることが望ましい場合がある。
【００５８】
図６は、非限定的な実施形態による、ＬＥＤモジュール２００の部分斜視図である。ＬＥＤモジュール２００は、画像化側２０２上の画像化画素のセット２１０と、後方側２０４上の照明画素のセット２５０とを含む。ＬＥＤモジュール２００は、側面２０２、２０４の間にモジュール本体２０３を含む。モジュール本体２０３は、画像化画素２１０、照明画素２５０、および制御部１１４との通信のための電気接続を有するプリント回路基板を含む。
【００５９】
方向２０１は、照明画素２５０が画像化照明を生成する一般的な方向を示す。平面２２４は、ＬＥＤモジュール２００と隣接するＬＥＤモジュールとの間の継ぎ目２２０によって規定される平面を示す。本実施形態では、ＬＥＤモジュール２００は、ＬＥＤタイル１３０上に配置され、継ぎ目２２０は、ＬＥＤタイル１３０と隣接するＬＥＤタイル１３０との間にある。
【００６０】
図６はさらに、ＬＥＤタイル１３０の結合されたキャリアアセンブリ１３２と一体であり、後方側２０４から後方に延び、図７でより詳細に後述するように、平面２２４に向かって湾曲する反射器２６０を示す。
【００６１】
本実施形態では、後方側２０４は、継ぎ目２２０に向けられた照明の光学的結合を改善するために、面取り２０５を形成するように約４５度で斜面が付けられた縁部２０７を有するように示されている。しかし、他の実施形態では、継ぎ目２２０に向かう光結合を改善するために、縁部２０７に面取りされなくてもよいこと、または面取り２０５を他の角度に形成してもよく、または湾曲させてもよいことが企図される。
【００６２】
図７は、非限定的な実施形態による、２つの隣接するＬＥＤモジュール２００‐１および２００‐２の部分断面図である。ＬＥＤモジュール２００‐１、２００‐２は、ＬＥＤタイル１３０‐１、１３０‐２上にそれぞれ配置され、その間に継ぎ目２２０を有し、この継ぎ目２２０は、平面２２４を規定し、継ぎ目ピッチ距離２２２をもたらす。画像化画素２１０‐１、２１０‐２は、画像化側２０２‐１、２０２‐２上に位置し、画像化（前方）方向２０１に画像化照明を生成する。ＬＥＤモジュール２００‐１、２００‐２は、継ぎ目照明２７０‐１、２７０‐２を生成するために、その後方側２０４‐１、２０４‐２に照明画素２５０‐１、２５０‐２を有する。
【００６３】
キャリアアセンブリ１３２‐１、１３２‐２は、ＬＥＤモジュール２００‐１、２００‐２の後方側２０４‐１、２０４‐２から延び、平面２２４に向かって湾曲する一体型反射器２６０‐１、２６０‐２を含む。本実施形態では、各反射器２６０‐１、２６０‐２は、その対応するキャリアアセンブリ１３２‐１、１３２‐２と一体であり、各反射器２６０‐１、２６０‐２は、細長い部分２６２‐１、２６２‐２および湾曲部分２６４‐１、２６４‐２を備える。細長い部分２６２‐１、２６２‐２は、概して、後方側２０４‐１、２０４‐２から、画像化方向２０１と反対の後方方向に延びる。細長い部分２６２‐１、２６２‐２は、ほぼ平面２２４に向かって延びる湾曲部分２６４‐１、２６４‐２で終端する。湾曲部分２６４‐１、２６４‐２は、継ぎ目２２０に向かって、継ぎ目２２０を通して、ほぼ反射し、継ぎ目照明２７０‐１、２７０‐２を方向付けるように湾曲している。
【００６４】
本実施形態では、湾曲部分２６４‐１、２６４‐２は、平面２２４に到達する前に終端し、少なくとも継ぎ目２２０と同じ幅の開口２６６を残すことが分かる。開口２６６は、ＬＥＤタイル１３０‐１、１３０‐２の隣接配置と干渉しないように十分に広い。
【００６５】
動作中、一般に継ぎ目照明２７０‐１、２７０‐２として示される照明画素２５０からの後方照明は、照明画素２５０‐１、２５０‐２によって生成され、反射器２６０‐１、２６０‐２、特に湾曲部分２６４‐１、２６４‐２から継ぎ目２２０に向かって反射される。継ぎ目照明２７０‐１、２７０‐２は、継ぎ目２２０を通って全体的に画像化方向２０１に向けられる。したがって、継ぎ目ピッチ距離２２２が、ＬＥＤモジュール２００‐１、２００‐２間に暗線欠陥を生じさせるのに十分に大きい場合、暗線欠陥の深刻度を低減することができる。
【００６６】
モジュール本体２０３‐１、２０３‐２は、それぞれ、画像化画素２１０‐１、２１０‐２、照明画素２５０‐１、２５０‐２との電気接続を有し、制御部１１４と通信するプリント回路基板を含む。いくつかの実施形態では、照明画素２５０‐１、２５０‐２は、照明スキームに従って制御される。上述したように、照明画素２５０‐１、２５０‐２は、照明画素２５０‐１、２５０‐２が配置されるＬＥＤモジュール２００‐１、２００‐２または隣接するＬＥＤモジュール２００‐１、２００‐２の任意の組み合わせの平均強度の約４分の１、２分の１または約４分の３に近い継ぎ目強度３２０を発生するように構成されてもよい。いくつかの実施形態では、継ぎ目強度３２０が照明画素２５０‐１、２５０‐２が配置されるＬＥＤモジュール２００‐１、２００‐２または隣接するＬＥＤモジュール２００‐１、２００‐２の平均画素強度に近づくか、またはほぼ等しくてもよい。さらに、いくつかの実施形態では、照明画素２５０‐１、２５０‐２の色は、画像化画素２１０‐１、２１０‐２の色と一致し得る。
【００６７】
上述の照明スキームは、画像化特性（画像化画素２１０‐１、２１０‐２の色または強度）に応答した照明特性（照明画素２５０‐１、２５０‐２の色または強度）の制御を含むものとして言及され得る。一般に、画像化特性という用語は、画像化画素２１０‐１、２１０‐２のセットにおいて少なくとも１つの画素の強度または色を指すために使用することができる。言い換えれば、画像化特性は、生成される画像に寄与する任意の画素の色または強度を指すことができる。同様に、照明特性という用語は、照明画素のセット２５０‐１、２５０‐２における少なくとも１つの画素の強度または色を指すために使用することができる。言い換えれば、照明特性は、継ぎ目照明２７０‐１、２７０‐２に寄与する任意の画素の色または強度を指すことができる。したがって、照明スキームによれば、継ぎ目２２０が画像化画素２１０‐１、２１０‐２によって生成される画像と混合または一致する照明画素２５０からの光で満たされるように、照明特性は、画像化特性に応答して、一致するように、または追跡するように制御され得る。
【００６８】
画像化画素２１０‐１、２１０‐２によって生成される画像が動的であるいくつかの実施形態では、例えば、生成される画像がビデオの一部である場合、照明画素２５０‐１、２５０‐２は、変化する画像化特性に応答して、制御ユニット１１４によって動的に制御され得る。
【００６９】
再び図５Ａ、５Ｂ、および６を参照すると、いくつかの実施形態では、照明画素２５０は、画像化画素２１０とピッチで整列されてもよいことが分かる。このような実施形態では、各照明画素２５０は、画像化画素２１０に対応し得る。このような実施形態では、照明スキームは、各照明ピクセル２５０の照明特性を、その対応する画像化画素２１０の画像化特性に応答して制御することを含むことができる。したがって、継ぎ目照明２７０は、照明画素２５０からの画像化照明と正確に混合するように制御され、画像化画素２１０によって生成された画像の画素ごとに色および強度を追跡することができる。他の実施形態では、照明画素２５０が継ぎ目２２０を通して継ぎ目照明２７０を提供するならば、照明画素２５０は、画像化画素２１０とピッチで整列していなくてもよい。
【００７０】
いくつかの実施形態では、反射器２６０、モジュール本体２０３、面取り２０５、または他の構造の一部を、拡散コーティングまたは反射コーティングなどの光学コーティングで処理して、所望の光学特性を達成することができる。
【００７１】
図８Ａ、８Ｂ、８Ｃ、および８Ｄは、ＬＥＤモジュール２００Ａ、２００Ｂ、２００Ｃ、および２００Ｄの非限定的な実施形態をさらに示し、ＬＥＤモジュール２００および反射器２６０のいくつかの構成が企図される。
【００７２】
図８Ａにおいて、ＬＥＤモジュール２００Ａは、後方側２０２Ａから延びる連続的に湾曲した部分２６２Ａを備え、キャリアアセンブリ１３２Ａと一体化した反射器２６０Ａを有する。したがって、反射器２６０Ａの形状はその形状が継ぎ目照明２７０Ａを継ぎ目２２０Ａに導く限り、変化し得ることが分かる。さらに、縁部２０７Ａは、面取りされず、むしろ継ぎ目２２０Ａに向かって直線状縁部にされる。したがって、縁部２０７を面取りすることが望ましいが、任意であることが分かる。
【００７３】
図８Ｂにおいて、ＬＥＤモジュール２００Ｂは、延出部２６２Ｂを備える反射器２６０Ｂを有し、さらに、キャリアアセンブリ１３２Ｂと一体の湾曲部分２６４の代わりに直線状角度部分２６４Ｂを備える。他の実施形態では、ＬＥＤモジュール２００Ｂは、様々な角度で位置決めされたいくつかの直線状角度部分２６２Ｂを備えることができる。したがって、反射器２６０の形状は、継ぎ目照明２７０Ｂを継ぎ目２２０Ｂに向かって反射する限り、変化し得ることが分かる。
【００７４】
図８Ｃでは、ＬＥＤモジュール２００Ｃは、キャリアアセンブリ１３２Ｃと一体化するのではなく、ＬＥＤモジュール２００Ｃと一体化する反射器２６０Ｃを備える。したがって、反射器２６０の位置は、継ぎ目照明２７０Ｃを継ぎ目２２０Ｃに向かって反射する限り、変化し得ることが分かる。
【００７５】
図示しない他の実施形態では、反射器２６０は、ＬＥＤモジュール２００、またはキャリアアセンブリ１３２、シャーシ１３４、またはＬＥＤディスプレイ１２０の他の構造に可逆的に着脱可能であってもよい。
【００７６】
図８Ｄにおいて、ＬＥＤモジュール２００Ｄは、照明画素２５０Ｄが配置される延出部２６２Ｄを備える。照明画素２５０Ｄは、反射器からの反射なしに、継ぎ目照明２７０Ｄを継ぎ目２２０Ｄに向けるように角度が付けられている。
【００７７】
図９は、別の非限定的な実施形態によるＬＥＤモジュール２００Ｅの部分斜視図である。ＬＥＤモジュール２００Ｅは、一連の湾曲部分２６４Ｅを備える反射器２６０Ｅを有する。いくつかの実施形態では、示されるように、湾曲部分２６４Ｅは、画像化方向２０１Ｅにおいて湾曲部分２６４Ｅの上に位置する照明画素２５０Ｅとピッチで整列し得る。したがって、継ぎ目照明２７０Ｅは、より正確に継ぎ目２２０Ｅに向けられる。さらに、各照明画素２５０Ｅが画像化画素２１０Ｅに対応するいくつかの実施形態では、照明画素２５０Ｅからの継ぎ目照明２７０Ｅは、その対応する画像化画素２１０Ｅの近くの継ぎ目２２０Ｅにより正確に向けられ、強度および色が制御部１１４によって制御されると、それによって、画像化画素２１０Ｅによって生成される画像をより正確に追跡する。
【００７８】
本図では、２つの隣接するＬＥＤモジュール２００の間に単一の継ぎ目２２０のみが示されているが、いくつかのＬＥＤモジュール２００の配置では、いくつかの継ぎ目２２０があってもよいことが理解されるのであろう。例えば、図１０に示すように、ＬＥＤタイル１３０上のＬＥＤモジュール２００は、２つ、３つ、または４つの隣接するＬＥＤモジュール２００の間に継ぎ目２２０を有し、各継ぎ目２２０が照明される。さらに、ＬＥＤモジュール２００が他の形状を呈する他の実施形態が存在してもよく、その形状が継ぎ目２２０を間に挟んで隣接して配置されてもよいことが理解されるのであろう。
【００７９】
さらに、関係する継ぎ目２２０が隣接するＬＥＤタイル１３０の間にある実施形態では、継ぎ目照明２７０が図１１Ａに示されるように、ＬＥＤタイル１３０の側端縁１３７（図２参照）の周りに向けられる。このような実施形態では、画素２５０を照明しないＬＥＤモジュール２００ＦをＬＥＤタイル１３０の内部に使用することができ、照明画素２５０を有するＬＥＤモジュール２００をＬＥＤタイル１３０の周囲に配置することができる。このような構成は、関係する継ぎ目２２０がＬＥＤタイル１３０内の隣接するＬＥＤモジュール２００間ではなくＬＥＤタイル１３０の周囲にある場合に、エネルギーを節約することができる。
【００８０】
さらに、関係する継ぎ目２２０が隣接するＬＥＤタイル１３０の間にあり、継ぎ目照明２７０がＬＥＤタイル１３０の側端縁１３７の周りに向けられる実施形態では、図１１Ｂに示されるように、ＬＥＤタイル１３０の側端縁１３７に当接する縁部２０７に沿った照明画素２５０を有する修正されたＬＥＤモジュール２００を使用することができる。このような実施形態では、角ＬＥＤモジュール２００Ｇ、長辺ＬＥＤモジュール２００Ｈ、および短辺ＬＥＤモジュール２００Ｊ（それぞれ、ＬＥＤタイル１３０の側端縁１３７に当接する縁部２０７の周りのみに照明画素２５０を有する）を使用することができる。このような構成は、問題の継ぎ目２２０がＬＥＤタイル１３０内の隣接するＬＥＤモジュール２００間ではなくＬＥＤタイル１３０の周囲にある場合に、エネルギーを節約することができる。図１１Ａと同様に、画素２５０を照明しないＬＥＤモジュール２００Ｆは、ＬＥＤタイル１３０の内部で使用することができる。
【００８１】
したがって、暗線欠陥を低減するために継ぎ目照明を提供するＬＥＤモジュールを有するＬＥＤディスプレイシステムを提供することができることが分かる。継ぎ目照明は、ＬＥＤモジュールの後方側の画素を照明することによって生成され、反射器によって継ぎ目を通して方向付けられ、ＬＥＤモジュールによって生成される画像と混合するように色または強度で制御され得る。したがって、設計、製造、および設置要件における継ぎ目公差のより大きな柔軟性が可能になり、暗線欠陥の発生率または深刻度を低減することができ、ＬＥＤディスプレイシステムによって生成される画像の外観を改善する。
【００８２】
特許請求の範囲は、上記の実施例に記載された実施形態によって限定されるべきではなく、全体としての説明と一致する最も広い解釈が与えられるべきである。
【図１】
2019074732.tif 000003
【図２】
2019074732.tif 000004
【図３】
2019074732.tif 000005
【図４】
2019074732.tif 000006
【図５Ａ】
2019074732.tif 000007
【図５Ｂ】
2019074732.tif 000008
【図６】
2019074732.tif 000009
【図７】
2019074732.tif 000010
【図８Ａ】
2019074732.tif 000011
【図８Ｂ】
2019074732.tif 000012
【図８Ｃ】
2019074732.tif 000013
【図８Ｄ】
2019074732.tif 000014
【図９】
2019074732.tif 000015
【図１０】
2019074732.tif 000016
【図１１Ａ】
2019074732.tif 000017
【図１１Ｂ】
2019074732.tif 000018
【外国語明細書】
2019074732000001.pdf